(57)【要約】      （修正有）【課題】煙突からの効率的な排気を長期間持続すると共に、煙突内への雨水の流入を防ぐ煙突用排気トップを提供する。【解決手段】煙突Ｂの排気口Ｂ１に対して排気口Ｂ１と連通するよう接続される接続筒１と、接続筒１の上端開口部１０の直上に上方からの雨水の上端開口部１０への流入を防ぐよう配置されると共に上端開口部１０と離間するように配置された天板２と、上端開口部Ｂ１と天板２の下面との間に確保された排気空間３と、排気空間３の外周を囲むと共に排気空間３と連通する排気通路３Ａを形成するように配置された外筒４と、外筒４の内側に排気空間３の外周よりも外側に位置すると共に、少なくとも外周の一部が外筒４の内周と径方向で対面するように内筒５が配置された煙突用排気トップＡであり、内筒５は天板２の周縁２０と外筒４の上端縁４０との間から上端開口部１０に向う方向の雨水の、上端開口部１０に対する流入を遮るように設けられている。【選択図】図１
2015068551.tif 000002
【特許請求の範囲】
【請求項１】
煙突の排気口に対して、該排気口と連通するよう接続される接続筒と、前記接続筒の上端開口部の直上に、上方からの雨水の前記上端開口部への流入を防ぐよう配置されると共に、前記上端開口部と離間するように配置された天板と、前記上端開口部と前記天板の下面との間に確保された排気空間と、前記排気空間の外周を囲むと共に、前記排気空間と連通する排気通路を形成するように配置された外筒と、を備えた煙突用排気トップにおいて、
前記外筒の内側に、前記排気空間の外周よりも外側に位置すると共に、少なくとも外周の一部が前記外筒の内周と径方向で対面するように内筒が配置され、前記内筒は、前記天板の周縁と前記外筒の上端縁との間から前記上端開口部に向う方向の雨水の、該上端開口部に対する流入を遮るように設けられていることを特徴とする煙突用排気トップ。
【発明の詳細な説明】
【技術分野】
【０００１】
本発明は、煙突の排気口に配置され、雨水の煙突内部への侵入を防ぐ機能を有する煙突用排気トップに関する。
【背景技術】
【０００２】
雨水の煙突内部への侵入を防ぐ機能を有する煙突用排気トップは、下記特許文献１に記載されているように、煙突の上端に挿着する内筒と、内筒の上方を囲む外筒と、外筒の上部内周に設けられた天板と、外筒の下部内周と内筒の上部外周とを連結する底板と、内筒の外周に固設された勾配形状の雨水返し板と、雨水返し板の下部に固設されると共に煙突の上端外周に結合する連結筒とを有し、天板と底板の夫々の周部には外筒の内周に沿って複数個所に設けられた結合部を介して複数の周状排気口が形成されると共に、各周状排気口の径方向の略中央部を細幅の遮蔽帯で遮った構成のものが知られている。
【先行技術文献】
【特許文献】
【０００３】
【特許文献１】特開２０１０−５４１１７号公報
【発明の概要】
【発明が解決しようとする課題】
【０００４】
特許文献１の従来技術によると、天板と底板の夫々の周部には外筒の内周に沿って複数個所に設けられた結合部を介して複数の周状排気口が形成されると共に、各周状排気口の径方向の略中央部を細幅の遮蔽帯で遮った構成とされているため、外筒及び周状排気口、並びに遮蔽帯によって、煤煙の排気を阻害することなく、煙突内部への雨水の侵入を防止することできる。
【０００５】
しかしながら、特許文献１の従来技術では、周状排気口を遮蔽帯で遮った構成であるため、周状排気口の幅が狭くなってしまい、煙突から排気される煤煙が周状排気口を通過するときに、周状排気口周りや遮蔽帯の下面に付着するススによって、周状排気口が詰まり易いということが問題となっている。
【０００６】
すなわち、周状排気口が詰まり易いため、周状排気口に詰まったススを取り除く作業を頻繁に行わなければならないものであった。このススを取り除く作業は、作業者が屋根に上って煙突から排気トップを取り外して行うが、このような作業は、危険な上に、面倒なものであるため、ススを取り除く作業の回数削減が求められている。
【０００７】
本発明は、このような問題に対処することを課題の一例とするものである。すなわち、ススが詰まり難くできること、これによって、ススを取り除く作業の回数削減ができること、ススを取り除く作業の回数を削減しても、煙突からの効率的な排気を長期間持続できること、煙突内への雨水の流入を防ぐことができること、等が本発明の目的である。
【課題を解決するための手段】
【０００８】
このような目的を達成するために、本発明による煙突用排気トップは、以下の構成を少なくとも具備するものである。
【０００９】
煙突の排気口に対して、該排気口と連通するよう接続される接続筒と、前記接続筒の上端開口部の直上に、上方からの雨水の前記上端開口部への流入を防ぐよう配置されると共に、前記上端開口部と離間するように配置された天板と、前記上端開口部と前記天板の下面との間に確保された排気空間と、前記排気空間の外周を囲むと共に、前記排気空間と連通する排気通路を形成するように配置された外筒と、を備えた煙突用排気トップにおいて、前記外筒の内側に、前記排気空間の外周よりも外側に位置すると共に、少なくとも一部が前記外筒と径方向で対面するように内筒が配置され、前記内筒は、少なくとも前記天板の周縁と前記外筒の上端縁との間から前記上端開口部に向う方向の雨水の、該上端開口部に対する流入を遮るように設けられていることを特徴とする煙突用排気トップである。
【図面の簡単な説明】
【００１０】
【図１】本発明の第一実施形態に係る煙突用排気トップの断面図であり、煙突に接続された状態を示す。
【図２】図１の（２）-（２）線断面図である。
【図３】図１の（３）-（３）線断面図である。
【図４】本発明の第二実施形態に係る煙突用排気トップの断面図であり、煙突に接続された状態を示す。
【発明を実施するための形態】
【００１１】
以下、本発明の実施形態を図面に基づいて説明する。図１〜図３は、本発明の第一実施形態に係る煙突用排気トップＡの構成及び作用を説明する断面図であり、図４は、本発明の第二実施形態に係る煙突用排気トップＡ’の構成及び作用を説明する断面図である。尚、以下で説明する各実施形態は、本発明を限定するものではない。
【００１２】
煙突用排気トップＡは、煙突Ｂの排気口Ｂ１の内面と適合するように嵌合して接続される円筒形状の接続筒１と、接続筒１の上端開口部１０の直上に、上端開口部１０と離間するように配置された円板形状の天板２と、上端開口部１０の上端と天板２の下面との間に確保された排気空間３と、排気空間３の外周を囲むと共に、排気空間３と連通する排気通路３Ａを形成するように配置された円筒形状の外筒４と、外筒４の内側に配置された円筒形状の内筒５とを備えており、鉛直方向から水平方向にわたる範囲からの雨水の上端開口部１０に対する流入を遮る機能を備えている。
【００１３】
煙突Ｂは、主にステンレスや金属の薄板を円筒状に形成した一般的なものであり、シングル煙突やダブル煙突と呼ばれるものである（図示においてはダブル煙突）。
【００１４】
天板２と、外筒４と、内筒５とは、互いに同軸となるように配置されており、また、煙突用排気トップＡの煙突Ｂに対する装着時に、天板２と、外筒４と、内筒５が煙突Ｂと同軸となるようにされている。
【００１５】
接続筒１は、煙突Ｂと同じ素材の薄板を円筒状に形成したものである。接続筒１の外周には、接続筒１の排気口Ｂ１への接続時に、排気口Ｂ１の縁に上方から嵌合する嵌合凹部１１が周設されている。
【００１６】
この嵌合凹部１１は、開口側が下向きにされており、排気口Ｂ１の縁に上方から嵌合することによって、排気口Ｂ１に対する接続筒１の嵌合量を規制して、煙突Ｂに対する煙突用排気トップＡの接続位置を定位置に保持できるようにされている。
【００１７】
接続筒１の排気口Ｂ１への接続状態は、強風によって抜けないように保持手段（図示せず）を用いて保持する。この保持手段は、例えば、接続筒１の外周を締め付ける締め付けベルト等で達成できる。
【００１８】
嵌合凹部１１の外周には、接続筒１と天板２及び外筒４とを連結するステー１２を取付ける取付け板１３が周設されている。
【００１９】
この取付け板１３は、円板形状であり、嵌合凹部１１側から径方向に向かって下向き傾斜として形成されており、この形状によって、ステー１２を取付ける機能の他に、雨水等を下方に流す機能を備えることができる。
【００２０】
ステー１２は、取付け板１３の上面に３本取付けられており、図２及び図３に示すように、周方向で隣り合うステー１２相互の角度が全て同角度（１２０°）となるように配置されている。
【００２１】
ステー１２の本数は、例示した３本に限るものではなく、煙突Ｂからの排気を阻害せず、しかも、接続筒１と天板２及び外筒４とを確実に連結できる本数であればよく、周方向で隣り合うステー１２相互の角度も全て同角度である必要もない。
【００２２】
ステー１２は、取付け板１３に取付ける固定部１２Ａと、外筒４を支持する外筒支持部１２Ｂと、天板２を支持する天板支持部１２Ｃとを備えており、これらが一体に連続するように帯状の金属板を曲げ形成して構成されている。
【００２３】
固定部１２Ａは、取付け板１３の上面に、外筒支持部１２Ｂは、外筒４の内側に、天板支持部１２Ｃは、天板２の下面に、夫々ボルト・ナット１２Ｄによって締め付け固定されており、これによって、取付け板１３、外筒４、天板２が一体にされている。
【００２４】
天板２は、煙突Ｂと同じ素材の薄板を用いて、直径が排気口Ｂ１の直径よりも大きい円板形状、且つ中心から径方向に下向き傾斜となるように形成されており、鉛直方向からの雨水の煙突Ｂ内への流入を防ぐと共に、雨水を下方に流す機能を備えている。また、天板２は、中空の二重構造にされており、この中空の二重構造にすることによって、天板２に接触する煤煙の急激な冷却を防止して、ススの付着を抑制できるようにされている。
【００２５】
排気空間３は、接続筒１の上端と天板２の下面との間の範囲に確保されており、この範囲中のステー１２を除く部分の全体を排気空間３として利用している。このため、接続筒１から排気される煤煙の通り道の範囲を広くすることができ、これによって、排気効率を良好なものとすることができる。
【００２６】
排気通路３Ａは、上部に排気用の開口部３０Ａを有しており、排気空間３から排気される煤煙を上方に案内して開口部３０Ａから排気するようにされている。開口部３０Ａは、外筒４と内筒５の間及び内筒５の全体に設定されている。
【００２７】
外筒４は、煙突Ｂと同じ素材の薄板を用いて、直径が天板２の直径よりも大きい円筒形状に形成されたものであり、下端を接続筒１の上端と同じ高さとして配置したときに、上端が天板２の頂点よりも高い位置となるように形成されている。
【００２８】
内筒５は、煙突Ｂと同じ素材の薄板を用いて、直径が天板２の直径よりも大きいと共に、外筒４の直径よりも小さく、且つ排気通路３Ａを径方向に分割し、分割したときに外筒４側の排気通路３Ａが狭くなる直径とする円筒形状に形成されており、内筒５の外周の全部が外筒４の内周と対面するように配置され、外筒４に対してボルト・ナット１２Ｅによって固定されている。
【００２９】
内筒５は、その上端を外筒４の上端よりもわずかに低い高さに配置したときに、下端が天板２の頂点と同じ高さになるように形成されている。
【００３０】
この内筒５の直径及び高さ、並びに配置位置は、天板２の周縁２０と外筒４の上端縁４０との間から、上端開口部１０に向う方向（図１において破線と破線に連続する二点鎖線で示す範囲）の雨水の、上端開口部１０に対する流入を遮ることができる一例であり、天板２の直径や配置位置、外筒４の直径や高さ等に応じて変更することができる。
【００３１】
そして、煙突Ｂと同じ素材の薄板からなる内筒５が、前述の配置位置で排気通路３Ａを分割し、しかも、天板２の周縁２０と外筒４の上端縁４０との間から、上端開口部１０に向う方向（図１において破線と破線に連続する二点鎖線で示す範囲）の雨水の流入を遮ることができるように設けられているので、排気通路３Ａやこの排気通路３Ａの開口部３０Ａの大きさを犠牲にすることがなく、煤煙の排気効率の低下を最小限に抑えることができると共に、上端開口部１０への雨水の流入を防ぐことができる。
【００３２】
このような煙突用排気トップＡによると、前述したような配置形態とする天板２、外筒４、内筒５によって、天板２の周縁２０と外筒４の上端縁４０との間から、上端開口部１０に向う方向（破線と破線に連続する二点鎖線で示す範囲）の雨水の流入を遮る内筒５による機能を備えるばかりでなく、鉛直方向から水平方向にわたる範囲からの雨水の上端開口部１０に対する直接の流入を遮る機能を備えることができる。
【００３３】
すなわち、前述の破線と破線に連続する二点鎖線で示す範囲以外の範囲からの雨水は、天板２、外筒４、内筒５によって、上端開口部１０に対する直接の流入を遮ることができるので、鉛直方向から水平方向にわたる範囲からの雨水の上端開口部１０に対する直接の流入を遮る機能を備えることができる。
【００３４】
また、煤煙に含まれるススを、開口部３０Ａ付近だけでなく、外筒４の内周や内筒５の外周及び内周という広い範囲で付着させることができるので、開口部３０Ａや排気通路３Ａが詰まるほどのススが付着するまでの時間を長く確保することができる。
【００３５】
したがって、広い範囲で排気される煤煙に含まれるススを付着させるため、このススによる詰りを生じ難くすることができ、これによって、ススを取り除く作業の回数削減ができると共に、ススを取り除く作業の回数を削減しても、煙突Ｂからの効率的な排気を長期間持続させることができる。
【００３６】
しかも、鉛直方向から水平方向にわたる範囲からの雨水の上端開口部１０に対する直接の流入を遮る機能を備えているので、煙突Ｂ内への雨水の流入を防ぐことができる。
【００３７】
よって、煙突Ｂが接続される燃焼装置（薪ストーブ、石炭ストーブ、木炭ストーブ、木質ペレットストーブ等（図示せず））の排気を効率的に行うことができると共に、不完全燃焼を防ぐことができる。しかも、燃焼装置への雨水の流入を防ぐことができるので、燃焼装置内での燃焼に対して雨水による悪影響を与えることがない。
【００３８】
次に、図４に基づいて、本発明に係る第二実施形態の煙突用排気トップＡ’を説明する。尚、第一実施形態と重複する部位についての説明は、同符号を付すことにより省略する。
【００３９】
煙突用排気トップＡ’は、直径を外筒４の直径と同径とする天板２を有し、この天板２が外筒４の直上で、この外筒４と離間した位置に配置されている。
【００４０】
外筒４は、下端を上端開口部１０と同じ高さに配置したときに、上端が排気空間３の中央部よりもやや高い位置となるように形成されている。
【００４１】
内筒５は、上端を外筒４の上端よりも高い位置、且つ天板２の下面から上下方向で離間した位置に配置したときに、下端が外筒４の内側の中央部よりもやや高い位置となるように形成されており、内筒５の外周の一部が外筒４の内側と対面するように配置されている。
【００４２】
また、内筒５の直径は、外筒４の直径よりも小さく、且つ排気通路３Ａを径方向に分割したときに、外筒４側の排気通路３Ａが狭くなる直径のものである。
【００４３】
この内筒５の直径及び高さ、並びに配置位置は、天板２の周縁２０と外筒４の上端縁４０との間から、上端開口部１０に向う方向（図４において破線と破線に連続する二点鎖線で示す範囲）の雨水の、上端開口部１０に対する流入を遮ることができる一例であり、天板２の直径や配置位置、外筒４の直径や高さ等に応じて変更することができる。
【００４４】
前述したような配置形態とする天板２、外筒４、内筒５によって、天板２の周縁２０と外筒４の上端縁４０との間から、上端開口部１０に向う方向（図４において破線と破線に連続する二点鎖線で示す範囲）の雨水の流入を遮る内筒５による機能を備えるばかりでなく、鉛直方向から水平方向にわたる範囲からの雨水の上端開口部１０に対する直接の流入を遮る機能を備えることができる。
【００４５】
また、煤煙に含まれるススを、開口部３０Ａ付近だけでなく、外筒４の内側や内筒５の外側及び内側という広い範囲で付着させることができるので、開口部３０Ａや排気通路３Ａが詰まるほどのススが付着するまでの時間を長く確保することができる。
【００４６】
したがって、広い範囲で排気される煤煙に含まれるススを付着させるため、このススによる詰りを生じ難くすることができ、これによって、ススを取り除く作業の回数削減ができると共に、ススを取り除く作業の回数を削減しても、煙突Ｂからの効率的な排気を長期間持続させることができる。
【００４７】
しかも、鉛直方向から水平方向にわたる範囲からの雨水の上端開口部１０に対する直接の流入を遮る機能を備えているので、煙突Ｂ内への雨水の流入を防ぐことができる。
【００４８】
よって、煙突Ｂが接続される燃焼装置（薪ストーブ、石炭ストーブ、木炭ストーブ、木質ペレットストーブ等（図示せず））の排気を効率的に行うことができると共に、不完全燃焼を防ぐことができる。しかも、燃焼装置への雨水の流入を防ぐことができるので、燃焼装置内での燃焼に対して雨水による悪影響を与えることがない。
【００４９】
尚、前述した各実施形態では、円筒形状の接続筒１を備えた煙突用排気トップＡ、Ａ’を例示したが、接続筒１の形状は、煙突Ｂの形状に対応した形状とする。また、天板２、外筒４、内筒５の形状も例示した形状に限らない。
【符号の説明】
【００５０】
Ａ：煙突用排気トップ  Ａ’： 煙突用排気トップ  Ｂ：煙突  Ｂ１：排気口  
１：接続筒  １０：上端開口部  ２：天板  ２０：周縁  ３：排気空間  ３Ａ：排気通路
４：外筒  ４０：上端縁  ５：内筒
【図１】
2015068551.tif 000003
【図２】
2015068551.tif 000004
【図３】
2015068551.tif 000005
【図４】
2015068551.tif 000006